(57)【要約】【課題】縦板と横板と背板の合計３枚の板材を壁など留付部に対して固定するための新規な技術を提供する。【解決手段】縦板１２、底板１４（横板）、背板１５の板材が集結するコーナー部３に用いる接続具３０であって、縦板１２に固定される被固定部３１ｂと、底板１４に固定される被固定部３２ｂと、背板１５を差し込む挿入隙間３３（溝）と、を有する接続具３０とする。これにより、板材を組み立ててなる壁付け什器などが、そのコーナー部において補強された状態となり、堅牢性の高い壁付け什器が実現される。【選択図】図２
2014083192.tif 000002
【特許請求の範囲】
【請求項１】
縦板、横板、背板の板材が集結するコーナー部に用いる接続具であって、
前記縦板に固定される被固定部と、
前記横板に固定される被固定部と、
前記背板を差し込む溝と、
を有する接続具。
【請求項２】
前記接続具は、
留め具を挿通させる連通孔部であって、
前記留め具を前記背板を貫いて留付部に差し込むための連通孔部を有する、
ことを特徴とする、請求項１に記載の接続具。
【請求項３】
前記接続具は、
前記縦板に設けるための第一の接続部材と、
前記横板に設けるための第二の接続部材と、から構成される、
ことを特徴とする、請求項１又は請求項２に記載の接続具。
【請求項４】
前記第一の接続部材と前記第二の接続部材を組み合わせた際に、
前記連通孔部と、
前記第一の接続部材と前記第二の接続部材の間に背板を差し込むための前記挿入隙間と、
が形成される、
ことを特徴とする請求項３に記載の接続具。
【請求項５】
前記第一の接続部材と、前記第二の接続部材には、
それぞれ、前記縦板と前記横板を所定の角度で配置するための当接部が形成されている、
ことを特徴とする、請求項３又は請求項４に記載の接続具。
【請求項６】
請求項１乃至請求項５のいずれか一項に記載の接続具を用いてなる壁付け什器であって、
前記縦板と、前記横板には、
それぞれ、前記背板の端部を挿入するための背板挿入溝部が形成されている、
ことを特徴とする壁付け什器。
【請求項７】
縦板、横板、背板の板材を接続してなる壁付け什器の留め付け方法であって、
前記縦板に接続具を設ける第一の工程と、
前記横板に前記接続具を設ける第二の工程と、
前記接続具に前記背板を差し込む第三の工程と、
前記接続具に形成される連通孔部に留め具を挿入して前記背板を貫いて壁に留めつける第四の工程と、
を有する壁付け什器の留め付け方法。
【発明の詳細な説明】
【技術分野】
【０００１】
本発明は、複数の板材を連結させつつ壁などの留付部に留め付けるための技術に関する。
【背景技術】
【０００２】
従来、例えば、特許文献１に開示されるように、家具をその後方の壁に固定するための家具固定構造が知られており、家具の固定に用いられる固定具についても、具体的な構造が知られている。
【０００３】
特許文献１では、一部材からなる固定具のスリットに背板を挿通させつつ、固定具の前部、背板、固定具の後部に対して順にビスを挿通することで、家具を構成する板材である底板などを壁に固定する構成としている。
【０００４】
また、９０度の角度をなすように配置される縦板（側板）と横板（底板、天板）は、一方にダボ穴を、他方にダボを設けることで、両者が接合される構成とされている。
【先行技術文献】
【特許文献】
【０００５】
【特許文献１】特開２０１０−１０４７２８号公報
【発明の概要】
【発明が解決しようとする課題】
【０００６】
上述したような従来構成において、例えば、縦板と横板と背板の合計３枚の板材を、一箇所において壁に対して留め付けることによれば、各板材を個別に壁に留め付ける必要がなくなるため、留め付け箇所を少なくすることが可能となる。これにより、施工工数を削減するための要求に応えることが可能となる。
【０００７】
また、二枚の板材をダボ穴とダボによって接合する形態では、板材に作用する荷重の大きさによっては、９０度などの所定の角度が維持されずに変形することが懸念される。このため、ダボ穴とダボの接合を補強できる構造が要求されることになる。
【０００８】
そこで、本発明は以上の問題点に鑑み、縦板と横板と背板の合計３枚の板材を壁など留付部に対して固定するための新規な技術を提供するものである。
【課題を解決するための手段】
【０００９】
本発明の解決しようとする課題は以上の如くであり、次にこの課題を解決するための手段を説明する。
【００１０】
即ち、請求項１に記載のごとく、
縦板、横板、背板の板材が集結するコーナー部に用いる接続具であって、
前記縦板に固定される被固定部と、
前記横板に固定される被固定部と、
前記背板を差し込む溝と、
を有する接続具とする。
【００１１】
また、請求項２に記載のごとく、
前記接続具は、
留め具を挿通させる連通孔部であって、
前記留め具を前記背板を貫いて留付部に差し込むための連通孔部を有する、
ことを特徴とする、請求項１に記載の接続具とする。
【００１２】
また、請求項３に記載のごとく、
前記接続具は、
前記縦板に設けるための第一の接続部材と、
前記横板に設けるための第二の接続部材と、から構成される、
ことを特徴とする、請求項１又は請求項２に記載の接続具とする。
【００１３】
また、請求項４に記載のごとく、
前記第一の接続部材と前記第二の接続部材を組み合わせた際に、
前記連通孔部と、
前記第一の接続部材と前記第二の接続部材の間に背板を差し込むための前記挿入隙間と、
が形成される、
ことを特徴とする請求項３に記載の接続具とする。
【００１４】
また、請求項５に記載のごとく、
前記第一の接続部材と、前記第二の接続部材には、
それぞれ、前記縦板と前記横板を所定の角度で配置するための当接部が形成されている、
ことを特徴とする、請求項３又は請求項４に記載の接続具とする。
【００１５】
また、請求項６に記載のごとく、
請求項１乃至請求項５のいずれか一項に記載の接続具を用いてなる壁付け什器であって、
前記縦板と、前記横板には、
それぞれ、前記背板の端部を挿入するための背板挿入溝部が形成されている、
ことを特徴とする壁付け什器とする。
【００１６】
また、請求項７に記載のごとく、
縦板、横板、背板の板材を接続してなる壁付け什器の留め付け方法であって、
前記縦板に接続具を設ける第一の工程と、
前記横板に前記接続具を設ける第二の工程と、
前記接続具に前記背板を差し込む第三の工程と、
前記接続具に形成される連通孔部に留め具を挿入して前記背板を貫いて壁に留めつける第四の工程と、
を有する壁付け什器の留め付け方法とする。
【発明の効果】
【００１７】
本発明の効果として、以下に示すような効果を奏する。
【００１８】
即ち、請求項１に記載の発明においては、
板材を組み立ててなる壁付け什器などが、そのコーナー部において補強された状態となり、堅牢性の高い壁付け什器が実現されることになる。
【００１９】
また、請求項２に記載の発明においては、
接続具が配置される合計４箇所のコーナー部について留め具による留め付けを実施することで、留付部に対する留め付けを完了することができ、施工工数が少ないものとなって、短時間で施工を完了することができる。
【００２０】
また、請求項３に記載の発明においては、
予め縦板と横板に対してそれぞれ第一の接続部材と第二の接続部材を固定しておいた上で、組立作業を行うことができるため、組立作業の作業性がよい構成が実現できる。なお、第一の接続部材と第二の接続部材を二部材で構成するほか、一部材で構成することも可能であり、さらには、三部材、四部材などで構成することも可能であり、部品数については特に限定されるものではない。ただし、施工性の観点からは、部品点数を少なく構成することが好ましい。
【００２１】
また、請求項４に記載の発明においては、
二部材とした場合においても、連通孔部を用いた留め付けや、背板の差し込みが実施可能となる。
【００２２】
また、請求項５に記載の発明においては、
当接部が互いに当接しあうことで、縦板や横板の倒れが規制され、コーナー部における補強が実施されることになる。
【００２３】
また、請求項６に記載の発明においては、
背板の端部を縦板と横板の背板挿入溝部に差し込んだ実施形態が実現できる。
【００２４】
また、請求項７に記載の発明においては、
合計４箇所のコーナー部について留め具による留め付けを実施することで、壁に対する留め付けを完了することができ、施工工数が少ないものとなって、短時間で施工を完了することができる。
【図面の簡単な説明】
【００２５】
【図１】本発明実施形態の壁付け什器の全体構成について示す斜視図。
【図２】（Ａ）は第一の接続部材について示す斜視図。（Ｂ）は第二の接続部材について示す斜視図。
【図３】（Ａ）は第一の接続部材と第二の接続部材を組み合わせた状態について示す前方斜視図。（Ｂ）は第一の接続部材と第二の接続部材を組み合わせた状態について示す後方斜視図。
【図４】壁に接続具を留め付けた状態について示す断面図。
【図５】（Ａ）は側板に対する第一の接続部材の固定について示す図。（Ｂ）は底板に対する第二の接続部材の固定について示す図。（Ｃ）は背板の差込について説明する図。（Ｄ）は側板の取り付けについて説明する図。（Ｅ）は組み立てた壁付け什器の壁への留め付けについて説明する図。
【発明を実施するための形態】
【００２６】
以下、本発明の実施形態を図面に基づいて説明する。
図１は壁付け什器１の全体構成について示す斜視図であり、壁付け什器１は、縦板１１，１２と、天板１３と、底板１４と、背板１５の各板材とを組み立てて構成される。
【００２７】
横方向に平行に配置される天板１３と底板１４の両端部には、それぞれ縦方向に縦板１１，１２が互いに平行に配置されて、全体として矩形の筒状体が構成されるとともに、筒状体の一側の開口部１６ａが背板１５によって塞がれることで、筒状体の他側の開口部１６ｂが開放される。
【００２８】
なお、縦板１１，１２と、天板１３と、底板１４における「側」、「天」、「底」は、図面を用いた説明において位置関係を明確にするために便宜上用いるものであって、特にその配置において本願の構成を限定するものではない。
【００２９】
図１に示すごとく、壁付け什器１は、奥行き方向において裏側となる背板１５側が壁２０に対して留め付けられ、奥行き方向において表側となる開口部１６ｂを通じてものの出し入れが行えるように構成される。このような壁付け什器１は、一般住宅に備える壁付け家具（収納）や、オフィス什器として使用することができる。
【００３０】
この壁付け什器１において、各板材が集結するコーナー部には、それぞれ、接続具３０，３０が配置されており、この接続具３０が配置される箇所において、３枚の板材、つまり、例えば、縦板１２、底板１４、背板１５が接続されるとともに、壁２０に対して留め付けられる。コーナー部は、合計で４箇所構成されるため、壁付け什器１は、合計４箇所で壁２０に対して留め付けられる。
【００３１】
次に接続具３０の詳細について説明する。
図２（Ａ）は、第一の接続部材３１について示す斜視図、図２（Ｂ）は、第二の接続部材３２について示す斜視図である。図３（Ａ）は、第一の接続部材３１と第二の接続部材３２を組み合わせた状態について示す前方斜視図、図３（Ｂ）は、第一の接続部材３１と第二の接続部材３２を組み合わせた状態について示す後方斜視図である。図４は、壁２０に接続具３０を留め付けた状態について示す断面図である。
【００３２】
図２乃至図４に示すごとく、本実施形態の接続具３０では、第一の接続部材３１と第二の接続部材３２の二部材で構成している。なお、一部材で構成することも可能であり、さらには、三部材、四部材などで構成することも可能であって、部品数については特に限定されるものではない。ただし、施工性の観点からは、部品点数を少なく構成することが好ましい。また、接続具３０は、例えば、樹脂成形品で構成することができる。
【００３３】
図２（Ａ）に示すごとく、第一の接続部材３１は、壁２０（図１参照）に対してその裏面が当接する壁面当接部３１ａと、第一の板材となる縦板１２（板材）に対して固定される被固定部３１ｂと、縦板１２の板面１２ａに対して当接する板面当接部３１ｃと、を有している。
【００３４】
縦板１２の板面１２ａには、予め、固定穴１２ｂが形設されており、この固定穴１２ｂに対して被固定部３１ｂが嵌入されることによって、縦板１２に対する第一の接続部材３１が固定される。
【００３５】
縦板１２に対して第一の接続部材３１が固定された状態においては、板面当接部３１ｃが縦板１２の板面１２ａに当接することによって、第一の接続部材３１の倒れが防止され、壁面当接部３１ａが縦板１２に対して垂直に配置された状態が維持されるようになっている。
【００３６】
また、板面当接部３１ｃの下面には、突起部３１ｇ，３１ｇが突設されており、突起部３１ｇ，３１ｇが、縦板１２の板面１２ａに形設された穴部１２ｇ，１２ｇに対しそれぞれ挿入される。このように突起部３１ｇ，３１ｇが穴部１２ｇ，１２ｇに挿入されることによって、第一の接続部材３１の矢印Ｒ１方向の回転が規制され、縦板１２に対して第一の接続部材３１がずれてしまうことが防止される。
【００３７】
図２（Ｂ）に示すごとく、第二の接続部材３２は、壁２０（図１参照）に対して当接する壁面当接部３２ａと、第二の板材となる底板１４（板材）に対して固定される被固定部３２ｂと、底板１４の板面１４ａに対して当接する板面当接部３２ｃと、板面当接部３２ｃと垂直の面を構成する連結面部３２ｄと、を有している。
【００３８】
底板１４の板面１４ａには、予め、固定穴１４ｂが形設されており、この固定穴１４ｂに対して被固定部３２ｂが嵌入されることによって、底板１４に対する第二の接続部材３２が固定される。
【００３９】
底板１４に対して第二の接続部材３２が固定された状態においては、壁面当接部３２ａ、板面当接部３２ｃが底板１４の板面１４ａに当接することによって、第二の接続部材３２の倒れが防止され、連結面部３２ｄが底板１４に対して垂直に配置された状態が維持されるようになっている。
【００４０】
また、板面当接部３２ｃの下面には、突起部３２ｇが突設されており、突起部３２ｇが、底板１４の板面１４ａに形設された穴部１４ｇに対し挿入される。このように突起部３２ｇが穴部１４ｇに挿入されることによって、第二の接続部材３２の矢印Ｒ２方向の回転が規制され、底板１４に対して第二の接続部材３２がずれてしまうことが防止される。
【００４１】
また、板面当接部３２ｃには、厚み方向に貫通する貫通穴３２ｘが設けられており、貫通穴３２ｘを通じてビスなどの留め具４１（図３（Ａ））を底板１４に挿入することで、板面当接部３２ｃが底板１４に対して留め具４１によって固定されることとしている。
【００４２】
なお、この貫通穴３２ｘを省略した構成とすることや、貫通穴３２ｘを通じた留め具４１による固定を省略することも可能であるが、底板１４に大きな荷重が作用した際にも底板１４が抜け落ち難くするように、この留め具４１による固定がなされることが好ましい。
【００４３】
また、第二の接続部材３２の壁面当接部３２ａは、第一の接続部材３１の壁面当接部３１ａの側部３１ｍ（図２（Ａ））に当接すべく構成されており、第一の接続部材３１と第二の接続部材３２が互いに当接しあうことで、図３（Ａ）（Ｂ）に示すごとく、縦板１２の矢印Ｒ３方向、底板１４の矢印Ｒ４方向の倒れが規制される。
【００４４】
図２（Ａ）（Ｂ）に示すごとく、第一の接続部材３１の被固定部３１ｂと、第二の接続部材３２の被固定部３２ｂには、それぞれ、背板１５を差し込むための差込部３１ｅ，３２ｅが形成されている。本実施形態では、被固定部３１ｂと被固定部３２ｂは、それぞれ円筒状に構成されており、その円筒軸の軸方向を深さ方向とする溝形状にて構成されている。
【００４５】
また、第一の接続部材３１の差込部３１ｅは、壁面当接部３１ａと板面当接部３１ｃの間の位置であって、縦板１２に形成される背板挿入用溝１２ｓと連通する位置に形成される。同様に、第二の接続部材３２の差込部３２ｅは、壁面当接部３２ａと板面当接部３２ｃの間の位置であって、底板１４に形成される背板挿入用溝１４ｓと連通する位置に形成される。
【００４６】
そして、図４に示すごとく、両差込部３１ｅ，３２ｅは、壁付け什器の奥行き方向Ｄの位置において一致するように設計されており、両差込部３１ｅ，３２ｅに対して背板１５が挿入され得るように構成されている。
【００４７】
また、図３（Ａ）（Ｂ）、及び図４に示すごとく、第二の接続部材３２の連結面部３２ｄは、第一の接続部材３１の壁面当接部３１ａに対向しつつ、壁面当接部３１ａとの間に背板１５が挿入され得るような挿入隙間３３を形成すべく構成されている。また、この挿入隙間３３は、壁付け什器の奥行き方向Ｄの位置において、第一の接続部材３１と第二の接続部材３２にそれぞれ形成される差込部３１ｅ，３２ｅと一致するように設計されている。
【００４８】
また、図２（Ａ）（Ｂ）に示すごとく、第一の接続部材３１の壁面当接部３１ａには、厚み方向に貫通する貫通穴３１ｆが設けられ、第二の接続部材３２の連結面部３２ｄには、厚み方向に貫通する貫通穴３２ｆが設けられている。
【００４９】
また、図３（Ａ）に示すごとく、両貫通穴３１ｆ，３２ｆは、壁付け什器の幅方向Ｗ，高さ方向Ｈにおいて、互いに一致するように設計されている。これにより、図４に示すごとく、両貫通穴３１ｆ，３２ｆによって、連続する連通孔部３５が形成される。
【００５０】
そして、図４に示すごとく、この連通孔部３５を通じてビスなどの留め具４３を挿入することで、第一の接続部材３１と第二の接続部材３２が壁２０に対して留め付けられる。
【００５１】
さらに、図４に示すごとく、第一の接続部材３１と第二の接続部材３２の間に形成される挿入隙間３３には、背板１５が差し込まれた状態となっており、連通孔部３５（貫通穴３１ｆ，３２ｆ）に留め具４３を差し込みつつ、背板１５を貫通するようにして留め具４３が壁２０に差し込まれる。
【００５２】
これにより、縦板１２（第一の接続部材３１）と底板１４（第二の接続部材３２）と背板１５の合計３枚の板材が、同時に、一つの留め具４３によって壁２０に対して固定される。なお、留め具４３の本数については、一本に限定されることなく、例えば、連通孔部３５が二つ形成されような接続具３０の設計として、二本の留め具４３による留め付けが実施されることとしてもよい。
【００５３】
また、図４に示すごとく、第一の接続部材３１の壁面当接部３１ａの奥行き方向Ｄの厚みＤ１は、壁面当接部３１ａの背面部３１ｈが壁２０の表面２０ｈに当接し得る寸法に設定されている。
【００５４】
これにより、縦板１２に第一の接続部材３１を取付けた状態において、壁面当接部３１ａの背面部３１ｈが壁２０の表面２０ｈに当接することになるため、壁面当接部３１ａと壁２０の間に、芯材などの別部材を介装する必要がない。
【００５５】
次に、図５を用いて、壁付け什器１の施工方法について説明する。
まず、図５（Ａ）に示すごとく、縦板１２について第一の接続部材３１を嵌着する。また、図５（Ｂ）に示すごとく、底板１４について第二の接続部材３２を嵌着するとともに、留め具４１にて留め付ける。
【００５６】
また、図５（Ａ）（Ｂ）に示すごとく、縦板１２の幅方向Ｗ１の両端においては、奥行き方向Ｄに複数のダボ穴１２ｄ，１２ｄが形設されており、このダボ穴１２ｄ，１２ｄに対して、底板１４の幅方向Ｗ２の両端面に突設されるダボ１４ｄ，１４ｄを嵌入することで、図５（Ｃ）に示すごとく、縦板１２と底板１４が略直角の状態で接合される。
【００５７】
また、この状態では、第一の接続部材３１と第二の接続部材３２が、図３（Ａ）（Ｂ）に示すように、互いに対向する状態となり、挿入隙間３３が形成される。
【００５８】
また、図５（Ｃ）に示すごとく、底板１４と同様に、天板１３についても第二の接続部材３２が固定された状態で、縦板１２に対して接続がされる。これにより、三枚の板材（縦板１２、天板１３、底板１４）が略コ字状に組立られた状態となる。
【００５９】
次いで、図５（Ｃ）に示すごとく、天板１３の背板挿入用溝と底板１４の背板挿入用溝１４ｓについて、背板１５の高さ方向Ｈ１の両端部１５ｍ，１５ｍを差込み、そのまま、背板１５の幅方向Ｗ３の端部１５ｎを、縦板１２の背板挿入用溝１２ｓに至るまで差し込む。
【００６０】
この背板１５の差込の際に、背板１５は、図３（Ａ）（Ｂ）に示すごとく、第一の接続部材３１と第二の接続部材３２によって形成される挿入隙間３３や、差込部３１ｅ，３２ｅによってガイドされつつ、背板挿入用溝１２ｓ，１３ｓ，１４ｓに対してそれぞれ差し込まれることから、このガイドがない場合と比較して、背板１５の背板挿入用溝１２ｓ，１３ｓ，１４ｓに対する挿入を容易に行うことができる。
【００６１】
次いで、図５（Ｄ）に示すごとく、もう一つの縦板１１についても同様に、第一の接続部材３１（不図示）を嵌着した状態として、天板１３と底板１４のダボを縦板１１のダボ穴に差し込むことによって、縦板１１を天板１３と底板１４に対して固定する。この際、縦板１１に形成した背板挿入用溝１１ｓに背板１５の幅方向Ｗ３の端部１５ｐが差し込まれる。
【００６２】
以上のようにして、縦板１１，１２と、天板１３と、底板１４と、背板１５の組立が完了し、次いで、図５（Ｅ）に示すごとく、壁２０に対する留め付けが行われる。まず、組み立てたものを、天板１３が略水平になるような状態とし、壁２０の所定の位置に配置するとともに、図４に示すごとく、連通孔部３５を通じて留め具４３を壁２０に差し込む。
【００６３】
これにより、図４に示すごとく、第一の接続部材３１と，第二の接続部材３２と、背板１５が同時に壁２０に対して留め付けられることになる。この留め具４３の留め付けは、図５（Ｅ）に示すごとく、合計４箇所のコーナー部３，３について実施されることになる。
【００６４】
このように、合計４箇所のコーナー部３，３について留め具４３による留め付けを実施することで、壁２０に対する留め付けを完了することができることによって、施工工数が少ないものとなり、短時間で施工を完了することができる。
【００６５】
また、例えば、縦板１２と底板１４の関係において、ダボとダボ穴による接合に加え、第一の接続部材３１と第二の接続部材３２が留め具４３によって壁２０に対して押圧され、さらに、図３（Ａ）（Ｂ）に示すごとく、第一の接続部材３１と第二の接続部材３２が互いに当接しあうことで、縦板１２の矢印Ｒ３方向、底板１４の矢印Ｒ４方向の倒れが規制されることにより、コーナー部３，３の角度が維持されるように補強される。
【００６６】
このように、第一の接続部材３１と第二の接続部材３２を用いることによって、板材を組み立ててなる壁付け什器１が、そのコーナー部３，３において補強された状態となり、堅牢性の高い壁付け什器１が実現されることになる。
【００６７】
以上のようにして本発明を実施することができる。
即ち、図１、図２（Ａ）（Ｂ）、及び、図３（Ａ）（Ｂ）に示すごとく、縦板１２、底板１４（横板）、背板１５の板材が集結するコーナー部３に用いる接続具３０であって、縦板１２に固定される被固定部３１ｂと、底板１４に固定される被固定部３２ｂと、背板１５を差し込む挿入隙間３３（溝）と、を有する接続具３０とするものである。
【００６８】
この構成により、板材を組み立ててなる壁付け什器１が、そのコーナー部３，３において補強された状態となり、堅牢性の高い壁付け什器１が実現されることになる。
【００６９】
また、図４に示すごとく、接続具３０は、留め具４３を挿通させる連通孔部３５であって、留め具４３を背板１５を貫いて留付部（壁２０）に差し込むための連通孔部３５を有する、こととしている。
【００７０】
この構成により、接続具３０が配置される合計４箇所のコーナー部３，３について留め具４３による留め付けを実施することで、留付部に対する留め付けを完了することができ、施工工数が少ないものとなって、短時間で施工を完了することができる。
【００７１】
また、図２（Ａ）（Ｂ）、及び、図３（Ａ）（Ｂ）に示すごとく、接続具３０は、縦板１２に設けるための第一の接続部材３１と、底板１４（横板）に設けるための第二の接続部材３２と、から構成される、こととしている。
【００７２】
この構成により、予め縦板１２と底板１４（横板）に対してそれぞれ第一の接続部材３１と第二の接続部材３２を固定しておいた上で、組立作業を行うことができるため、組立作業の作業性がよい構成が実現できる。なお、第一の接続部材３１と第二の接続部材３２を二部材で構成するほか、一部材で構成することも可能であり、さらには、三部材、四部材などで構成することも可能であり、部品数については特に限定されるものではない。ただし、施工性の観点からは、部品点数を少なく構成することが好ましい。
【００７３】
また、図２（Ａ）（Ｂ）、及び、図３（Ａ）（Ｂ）に示すごとく、
第一の接続部材３１と第二の接続部材３２を組み合わせた際に、連通孔部３５と、第一の接続部材３１と第二の接続部材３２の間に背板１５を差し込むための挿入隙間３３（溝）が形成される、こととしている。
【００７４】
これにより、二部材とした場合においても、連通孔部３５を用いた留め付けや、背板１５の差し込みが実施可能となる。
【００７５】
また、図３（Ａ）（Ｂ）に示すごとく、
第一の接続部材３１と、第二の接続部材３２には、
それぞれ、縦板１２と底板１４（横板）を所定の角度で配置するための当接部（第一の接続部材３１の壁面当接部３１ａの側部３１ｍ、第二の接続部材３２の壁面当接部３２ａ）が形成されることとしている。
【００７６】
これにより、当接部が互いに当接しあうことで、縦板１２の矢印Ｒ３方向、底板１４（横板）の矢印Ｒ４方向の倒れが規制され、コーナー部における補強が実施されることになる。
【００７７】
また、図３（Ａ）（Ｂ）、及び、図５に示すごとく、接続具３０を用いてなる壁付け什器１であって、縦板１２と、底板１４（横板）には、それぞれ、背板１５の端部を挿入するための背板挿入溝部１２ｓ，１４ｓが形成されている、こととする。
【００７８】
これにより、背板１５の端部を縦板１２と底板１４（横板）の背板挿入溝部１２ｓ，１４ｓに差し込んだ実施形態が実現できる。
【００７９】
また、図５に示すごとく、
縦板１２、天板１３（横板）、底板１４（横板）、背板１５の板材を接続してなる壁付け什器の留め付け方法であって、縦板１２に接続具３０（第一の接続部材３１）を設ける第一の工程と、横板に接続具３０（第二の接続部材３２）を設ける第二の工程と、接続具３０に背板１５を差し込む第三の工程と、接続具３０に形成される連通孔部に留め具４３（図４）を挿入して背板１５を貫いて壁２０に留めつける第四の工程と、を有する壁付け什器の留め付け方法とする。
【００８０】
これにより、合計４箇所のコーナー部３，３について留め具４３による留め付けを実施することで、壁２０に対する留め付けを完了することができ、施工工数が少ないものとなって、短時間で施工を完了することができる。
【００８１】
なお、図１に示すごとく、本実施形態の壁付け家具１では、縦板１１，１２の上下端部の内側に天板１３と底板１４が当接する、いわゆる、縦勝ちの構成とするものであるが、その逆、つまりは、天板１３と底板１４の左右端部の内側に縦板１１，１２が当接する、いわゆる、横勝ちの構成としてもよい。または、留め接合の構造としても良い。
【産業上の利用可能性】
【００８２】
本発明は、住宅等に設置される壁付けの収納家具など、板材を組み立てて壁などに設置する形態の什器について、幅広く適用することができる。
【符号の説明】
【００８３】
１    壁付け什器
３    コーナー部
１１    側板
１２    側板
１３    天板
１４    底板
１５    背板
２０    壁
３０    接続具
３１    第一の接続部材
３１ｆ    貫通穴
３２    第二の接続部材
３２ｆ    貫通穴
３３    挿入隙間
３４    背板差込部
３５    連通孔部
４３    留め具
【図１】
2014083192.tif 000003
【図２】
2014083192.tif 000004
【図３】
2014083192.tif 000005
【図４】
2014083192.tif 000006
【図５】
2014083192.tif 000007